(57)【要約】      （修正有）【課題】全体の長さを殆ど変えることなくボールペンリフィルの芯先を片手操作によって露出、隠蔽操作を自在とすると共に、不用意に衣服などを汚すことのない芯先隠蔽式のボールペンを提供する。【解決手段】胴部と、該胴部の後部内に摺動自在に嵌入して押し込み自在で回転操作の自在な天冠とよりなり、胴部は、先端に口金を設けた軸本体と、該軸本体に胴中子を介して内設した芯筒に挿脱自在に緊入して口金より芯先を突出させたボールペンリフィルと、ボールペンリフィルの芯先を隠蔽する位置まで突出自在とした摺動先金と、胴中子を貫遊し先端を摺動先金のストッパーに直接又は間接に接しスプリングに抗して押圧自在とした押棒と、軸本体に内設したロック機構とよりなり、天冠の回転操作により天冠を押し出して芯先を露出させると共に、天冠の押圧により摺動先金の先端をボールペンリフィルの芯先の隠蔽位置まで突出、停止自在とした。【選択図】  図１
2007055029.tif 000002
【特許請求の範囲】
【請求項１】
胴部と、該胴部の後部内に摺動自在に嵌入して押し込み自在で回転操作の自在な天冠とよりなり、胴部は、先端に口金を設けた軸本体と、該軸本体に胴中子を介して内設した芯筒に挿脱自在に緊入して口金より芯先を突出させたボールペンリフィルと、該ボールペンリフィルの中間位置において軸本体の内部段差と後述の摺動先金のストッパーとの間にスプリングを介してボールペンリフィルの芯先を隠蔽する位置まで突出自在とした摺動先金と、前記胴中子を貫遊し先端を摺動先金のストッパーに直接又は間接に接しスプリングに抗して押圧自在とした押棒と、軸本体に内設したロック機構とよりなり、ロック機構は押棒の他端に当接し軸本体の後部にホルダーを介してスライド自在に嵌合しているロック筒と、胴中子の後端部に突設した規制コマとよりなり、この規制コマはロック筒の軸線方向に設けた直線溝に侵入しており、この直線溝の終端部は軸線からずれた位置に傾斜する傾斜誘導面と掛止凹面とを設けた三角形状の誘導穴に連続してあって、該掛止凹面に規制コマの停止を自在としており、天冠は、ロック筒の後端に固定してあって胴中子と軸本体に圧入固定してあるホルダーにスライド自在で回転操作が自在なるよう嵌入してあって、天冠の回転操作により天冠を押し出して芯先を露出させると共に、天冠の押圧により摺動先金の先端をボールペンリフィルの芯先の隠蔽位置まで突出、停止自在とした芯先隠蔽式ボ−ルペン。
【請求項２】
芯筒と胴中子の間にスペース軸を介してスライド自在な押カバーを設けて押棒の押圧力を押カバー、ストッパーと間接的に伝達自在とし、摺動金具の先端金具部を芯先の隠蔽位置まで突出、停止自在とした請求項１記載の芯先隠蔽式ボ−ルペン。
【発明の詳細な説明】
【技術分野】
【０００１】
本発明は不使用時にボールペンの芯先を隠蔽するボールペンに関する。
【背景技術】
【０００２】
従来の不使用時に芯先を隠蔽するボールペンとしては、ノック式と伸縮式のものがある。前者ノック式のものは、ノックを繰り返すことにより交互にリフィルが前進、後退を繰り返し筆記、収納ができるようになっている。然しこのノック式の場合は、リフィルを後退させた状態でバッグやポケットに収納している時に不用意にノックされてリフィルが筆記状態となって衣服や書類などを汚す恐れがある。
【０００３】
又伸縮式のボールペンの場合は、単にノックするのとは異なり、伸縮操作をするには両手で持って行うものであるため不用意に伸長して筆記状態になることは少ないが、両手操作という不便さは免れない。
【発明の開示】
【発明が解決しようとする課題】
【０００４】
そこで本発明は、全体の長さを殆ど変えることなくボールペンリフィルの芯先を片手操作によって露出、隠蔽操作を自在とすると共に、不用意に衣服などを汚すことのない芯先隠蔽式のボールペンを提供しようとするものである。
【課題を解決するための手段】
【０００５】
胴部と、該胴部の後部内に摺動自在に嵌入して押し込み自在で回転操作の自在な天冠とよりなり、胴部は、先端に口金を設けた軸本体と、該軸本体に胴中子を介して内設した芯筒に挿脱自在に緊入して口金より芯先を突出させたボールペンリフィルと、該ボールペンリフィルの中間位置において軸本体の内部段差と後述の摺動先金のストッパーとの間にスプリングを介してボールペンリフィルの芯先を隠蔽する位置まで突出自在とした摺動先金と、前記胴中子を貫遊し先端を摺動先金のストッパーに直接又は間接に接しスプリングに抗して押圧自在とした押棒と、軸本体に内設したロック機構とよりなり、ロック機構は押棒の他端に当接し軸本体の後部にホルダーを介してスライド自在に嵌合しているロック筒と、胴中子の後端部に突設した規制コマとよりなり、この規制コマはロック筒の軸線方向に設けた直線溝に侵入しており、この直線溝の終端部は軸線からずれた位置に傾斜する傾斜誘導面と掛止凹面とを設けた三角形状の誘導穴に連続してあって、該掛止凹面に規制コマの停止を自在としており、天冠は、ロック筒の後端に固定してあって胴中子と軸本体に圧入固定してあるホルダーにスライド自在で回転操作が自在なるよう嵌入してあって、天冠の回転操作により天冠を押し出して芯先を露出させると共に、天冠の押圧により摺動先金の先端をボールペンリフィルの芯先の隠蔽位置まで突出、停止自在とした芯先隠蔽式ボ−ルペンである。
【発明の効果】
【０００６】
本発明の効果として、片手操作によって芯先の露出、隠蔽操作ができて便利であり、且つ芯先の隠蔽状態そのまま維持して不用意に書類、衣服などを汚すことがない。
【実施例】
【０００７】
図１から図７にしたがって詳記すると、胴部４と、該胴部４の後部内に摺動自在に嵌入して押し込み自在で回転操作の自在な天冠１１とよりなり、胴部４は、先端に口金１４を設けた軸本体１９と、該軸本体１９に胴中子６を介して内設した芯筒３に挿脱自在に緊入して口金１４より芯先１３’を突出させたボールペンリフィル１３と、該ボールペンリフィル１３の中間位置において軸本体１９の内部段差２０と後述の摺動先金１のストッパー２との間にスプリング１２を介してボールペンリフィル１３の芯先１３’を隠蔽する位置まで突出自在とした摺動先金１と、前記胴中子６を貫遊し先端を摺動先金１のストッパー２に直接に接しスプリング１２に抗して押圧自在とした押棒５と、軸本体１９に内設したロック機構２１とよりなり、ロック機構２１は押棒５の他端に当接し軸本体１９の後部に胴中子６、軸本体１９に圧入固定したホルダー９を介してスライド、回転自在に嵌合しているロック筒７と、胴中子６の後端部に突設した規制コマ８とよりなり、この規制コマ８はロック筒７の軸線方向に設けた直線溝２２に侵入しており、この直線溝２２の終端部は軸線からずれた位置に傾斜する傾斜誘導面２３と掛止凹面２４とを設けた三角形状の誘導穴２５に連続してあって、該掛止凹面２４に規制コマ８の停止を自在としており、天冠１１は、ロック筒７の後端に固定してあって胴中子６と軸本体１９に圧入固定してあるホルダー９にスライド自在で回転操作が自在なるよう嵌入してあり、天冠の回転操作により天冠を押し出して芯先を露出させると共に、天冠１１の押圧により摺動先金１の先端をボールペンリフィル１３の芯先１３’の隠蔽位置まで突出、停止自在としたものである。図中１０はクリップである。なおホルダー９は組立作業時において支障なければ必ずしも必要としない。
【０００８】
口金１４は、後方に延びる筒状部１４’有していて表面にグリップ１５を覆設すると共に基端に継手１６を固定してあり、この継手１６が軸本体１９の先端に螺着して取外し自在となっている。又摺動金具１は、先端金具部２６と後端にストッパー２を設けた摺動軸部２７とよりなっていてなっていて互いに固定されている。
【０００９】
以上の図示のものは押棒５が比較的長くなっていてボールペンリフィル１３の脇空間位置にまで跨っている。そのため軸本体１９とリフィル１３の間に押棒５を配置する空間が必要になるので軸本体１９が比較的太くなる構造上の必然性がある。
【００１０】
図８〜１３は比較的軸本体１９を細くしたり太いボールペンリフィル１３を装填できるようにした他実施例に関するもので、芯筒３と胴中子６の間にスペース軸２８を介してスライド自在な押カバー５’を設けて押棒５の押圧力を押カバー５’、ストッパー２と間接的に伝達自在とし、摺動金具１の先端金具部２６を芯先１３の隠蔽位置まで突出自在としたものである。
【作用】
【００１１】
以下その作用を説明する。図１、図８は芯先１３’を摺動先金１の先端より露呈させて筆記状態にした縦断面図であるが、この筆記状態から芯先１３’を隠蔽状態にするには、天冠１１を押圧することによってロック筒７は規制コマ８によって先ず直線溝２２、傾斜誘導面２３に沿って直線移動、回転移動し、それに従って押棒５、ストッパー７がスプリング１２に抗して摺動先金１を先方に押し出し、芯先１３’余裕を持った状態で隠蔽する。この時の規制コマ１７は図５、図１２に示すように傾斜誘導面２３の終点位置にあるが、天冠１１の押圧を解くことによりスプリング１２によってロック筒１５は少し後方に移動し、規制コマ８は掛止凹面２４に停止して(図６、図１３)、芯先１３’は摺動先金１の先端金具部２６に隠蔽され、収納状態になる。
【００１２】
図３（図６）、図１０（図１３）の芯先１３’の隠蔽状態から筆記状態にするには天冠１１を図において下側に回転操作することにより、その回転操作によって規制コマ８と掛止凹面２４の係合が解け、同時にスプリング１２の押圧力によってストッパー２、押棒５、ロック筒７が移動して芯先が露呈し、図１（図８）の筆記状態となる。
【図面の簡単な説明】
【００１３】
【図１】本発明に係る芯先隠蔽式ボ−ルペンの筆記時の断面説明図
【図２】同芯先隠蔽作業途中時の断面説明図
【図３】同芯先隠蔽時の断面説明図
【図４】図１の筆記時の内部機構説明図
【図５】図２の作業途中の内部機構説明図
【図６】図３の芯先隠蔽時の内部機構説明図
【図７】グリップ部分の拡大断面説明図
【図８】他実施例に係る芯先隠蔽式ボ−ルペンの筆記時の断面説明図
【図９】同芯先隠蔽作業途中時の断面説明図
【図１０】同芯先隠蔽時の断面説明図
【図１１】図８の筆記時の内部機構説明図
【図１２】図９の作業途中の内部機構説明図
【図１３】図１０の芯先隠蔽時の内部機構説明図
【符号の説明】
【００１４】
１：摺動先金
２：ストッパー
３：芯筒
４：胴部
５：押棒
５’：押カバー
６：胴中子
７：ロック筒
８：規制コマ
９：ホルダー
１０：クリップ
１１：天冠
１２：スプリング
１３：ボールペンリフィル
１３’：芯先
１４：口金
１４’：筒状部
１５：グリップ
１６：継手
１７：規制コマ
１９：軸本体
２０：内部段差
２１：ロック機構
２２：直線溝
２３：傾斜誘導面
２４：掛止凹面
２５：誘導穴
２６：先端金具部
２７：摺動軸部
２８：スペース軸
【図１】
2007055029.tif 000003
【図２】
2007055029.tif 000004
【図３】
2007055029.tif 000005
【図４】
2007055029.tif 000006
【図５】
2007055029.tif 000007
【図６】
2007055029.tif 000008
【図７】
2007055029.tif 000009
【図８】
2007055029.tif 000010
【図９】
2007055029.tif 000011
【図１０】
2007055029.tif 000012
【図１１】
2007055029.tif 000013
【図１２】
2007055029.tif 000014
【図１３】
2007055029.tif 000015